(57)【要約】【課題】本発明は、歯科用物質ディスペンサ装置を開示する。【解決手段】本発明の一実施形態に係る歯科用物質ディスペンサ装置は、本体部、前記本体部に着脱可能に結合し、内部に歯科用物質を収容するカプセル、前記カプセルを加圧して前記歯科用物質が前記カプセルの外部に排出されるようにするピストン、前記ピストンを駆動させる駆動部、および前記本体部に備えられ、前記カプセルを局所的に加熱する加熱ユニットを備え、前記加熱ユニットは、前記本体部に備えられる前記カプセルを加熱するための熱を発生するフィルムヒータ、および前記カプセルと前記フィルムヒータとの間に備えられ、前記フィルムヒータから発生した熱を前記カプセルに伝達する金属材質の熱伝達部を備えてもよい。【選択図】図１
2017038913.tif 000002
【特許請求の範囲】
【請求項１】
本体部、
前記本体部と着脱可能に結合し、内部に歯科用物質を収容するカプセル、
前記カプセルを加圧して前記歯科用物質が前記カプセルの外部に排出されるようにするピストン、
前記ピストンを駆動させる駆動部、および
前記本体部に備えられ、前記カプセルを局所的に加熱する加熱ユニット
を備え、
前記加熱ユニットは、
前記本体部に備えられた前記カプセルを加熱するための熱を発生するフィルムヒータ、および
前記カプセルと前記フィルムヒータとの間に備えられ、前記フィルムヒータから発生した熱を前記カプセルに伝達する金属材質の熱伝達部
を備える、歯科用物質ディスペンサ装置。
【請求項２】
前記フィルムヒータは、薄い板形状のフレキシブルな材質で形成される、請求項１に記載の歯科用物質ディスペンサ装置。
【請求項３】
前記フィルムヒータは、曲面にしなった状態で前記本体部と結合する、請求項２に記載の歯科用物質ディスペンサ装置。
【請求項４】
前記フィルムヒータは、ポリイミド（ｐｏｌｙｉｍｉｄｅ）材質で形成される、請求項２に記載の歯科用物質ディスペンサ装置。
【請求項５】
前記フィルムヒータは、前記熱伝達部と接触し、前記熱伝達部に伝導方式によって熱を伝達し、
前記熱伝達部は、前記カプセルの一部分と接触し、前記カプセルを局所的に加熱する、請求項１に記載の歯科用物質ディスペンサ装置。
【請求項６】
前記本体部の前端には、前記カプセルを結合させるカプセル結合溝が凹むように陥没して形成され、
前記カプセル結合溝には、前記熱伝達部が挿入する熱伝達部挿入ホールが穿孔形成される、請求項１に記載の歯科用物質ディスペンサ装置。
【請求項７】
前記熱伝達部は、前記カプセルの下部に備えられ、前記フィルムヒータは、前記熱伝達部の下部に備えられる、請求項５に記載の歯科用物質ディスペンサ装置。
【請求項８】
前記フィルムヒータをカバーし、前記本体部と着脱可能に結合するカバー部をさらに備える、請求項１に記載の歯科用物質ディスペンサ装置。
【請求項９】
前記カプセルに収容される歯科用物質は、少なくともレジンを含むことを特徴とする、請求項１に記載の歯科用物質ディスペンサ装置。
【請求項１０】
内部に歯科用物質を収容するカプセル、
前記カプセルを着脱可能に結合させるカプセル結合溝が形成された本体部、
前記カプセル結合溝に備えられ、前記カプセルの少なくとも一部分を局所的に加熱するフィルムヒータ、および
前記カプセルを加圧して前記歯科用物質が前記カプセルの外部に排出されるようにする排出ユニット
を備える、歯科用物質ディスペンサ装置。
【請求項１１】
前記カプセルと前記フィルムヒータとの間に備えられ、前記フィルムヒータから発生した熱を前記カプセルに伝達する金属材質の熱伝達部をさらに備える、請求項１０に記載の歯科用物質ディスペンサ装置。
【発明の詳細な説明】
【技術分野】
【０００１】
本発明は、歯科用物質ディスペンサ装置に関し、より詳細には、フィルムヒータを利用してレジンなどの歯科用物質を収容するカプセルを加熱し、このようなカプセルの外部に歯科用物質を排出する歯科用物質ディスペンサ装置に関する。
【背景技術】
【０００２】
歯科用修復材は、噛む機能を回復させるために高い強度が求められることから、金や合金、またはアマルガムのような材料が伝統的に使用されてきた。このような金属性材料は、歯の色を持たないため審美的ではなく、前歯から金属が見えると極めて不自然である上に良い印象を与えない。さらに、金属性材料は歯と結合しないため、修復物の脱落を防ぐためには歯の多くの削除を先行させる必要がある。
【０００３】
これに比べ、レジンを利用した接着性修復は、歯の削除を最小限に抑え、欠損によって脆弱化する歯の構造を強化させる役割をする。言い換えれば、不必要に歯を削除せず、保存的に歯を維持することができる。
【０００４】
レジンとは、有機質高分子と無機質充填材で構成された混合物質であり、最近では歯科用修復材料として脚光を浴びている。
【０００５】
このようなレジンをはじめとした歯科用修復材を歯に充填するためには、このような歯科用修復材を排出する歯科用充填装置や歯科用ディスペンサが必要となるが、このような歯科用ディスペンサ装置には、歯科用修復材を効率的に排出するために歯科用修復材を加熱するヒータが備えられたりもする。
【発明の概要】
【発明が解決しようとする課題】
【０００６】
本発明は、粘度の高いレジンのような歯科用物質を圧出するために、フィルムヒータを利用して局所的に歯科用物質を収容するカプセルを加熱することによってカプセルの外部に歯科用物質を排出させる歯科用物質ディスペンサ装置を提供することを目的とする。
【課題を解決するための手段】
【０００７】
本発明の一実施形態に係る歯科用物質ディスペンサ装置は、本体部、前記本体部と着脱可能に結合し、内部に歯科用物質を収容するカプセル、前記カプセルを加圧して前記歯科用物質が前記カプセルの外部に排出されるようにするピストン、前記ピストンを駆動させる駆動部、および前記本体部に備えられ、前記カプセルを局所的に加熱する加熱ユニットを備え、前記加熱ユニットは、前記本体部に備えられた前記カプセルを加熱するための熱を発生させるフィルムヒータ、および前記カプセルと前記フィルムヒータとの間に備えられ、前記フィルムヒータから発生した熱を前記カプセルに伝達する金属材質の熱伝達部を備えてもよい。
【０００８】
また、前記フィルムヒータは、薄い板形状のフレキシブルな材質で形成されてもよい。
【０００９】
また、前記フィルムヒータは、曲面にしなった状態で前記本体部と結合してもよい。
【００１０】
また、前記フィルムヒータは、ポリイミド（ｐｏｌｙｉｍｉｄｅ）材質で形成されてもよい。
【００１１】
また、前記フィルムヒータは、前記熱伝達部と接触し、前記熱伝達部に伝導方式によって熱を伝達し、前記熱伝達部は、前記カプセルの一部分と接触し、前記カプセルを局所的に加熱してもよい。
【００１２】
また、前記本体部の前端には、前記カプセルが結合するカプセル結合溝が凹むように陥没して形成され、前記カプセル結合溝には、前記熱伝達部が挿入する熱伝達部挿入ホールが穿孔形成されてもよい。
【００１３】
また、前記熱伝達部は、前記カプセルの下部に備えられ、前記フィルムヒータは、前記熱伝達部の下部に備えられてもよい。
【００１４】
また、前記フィルムヒータをカバーし、前記本体部と着脱可能に結合するカバー部をさらに備えてもよい。
【００１５】
また、前記カプセルに収容される歯科用物質は、少なくともレジンを含むことを特徴としてもよい。
【００１６】
本発明の他の実施形態に係る歯科用物質ディスペンサ装置は、内部に歯科用物質を収容するカプセル、前記カプセルを着脱可能に結合させるカプセル結合溝が形成された本体部、前記カプセル結合溝に備えられ、前記カプセルの少なくとも一部分を局所的に加熱するフィルムヒータ、および前記カプセルを加圧して前記歯科用物質が前記カプセル外部に排出されるようにする排出ユニットを備えてもよい。
【００１７】
また、前記カプセルと前記フィルムヒータとの間に備えられ、前記フィルムヒータから発生した熱を前記カプセルに伝達する金属材質の熱伝達部をさらに備えてもよい。
【発明の効果】
【００１８】
本発明によると、粘度の高い歯科用物質を加熱するために従来に使用していたヒーティングパイプとニクロム線の代わりに柔軟な材質のフィルムヒータを使って製作することにより、ヒータを装着する部分の形状、大きさ、構造に関係なく簡単にヒータを装着することができる。
【００１９】
また、本発明によると、ヒーティングブロックを使用する従来の方式に比べ、温度維持および利便性の側面でより有利となる。
【００２０】
また、本発明によると、歯科用物質ディスペンサ装置の内部構造が簡単になるため、製作および加工が簡便となる。
【００２１】
また、本発明によると、レジンカプセルなどの歯科用物質を収容するカプセルの下端を局所加熱することにより、レジンなどの歯科用物質の圧力および温度を瞬間的に増加させるのではなく、時間の経過に伴って均一に増加させることができ、カプセル内部に収容されたレジンなどの歯科用物質の変性を防ぐことができる。
【００２２】
また、本発明によると、フィルムヒータを利用して歯科用物質が収容されたカプセルを局所加熱することにより、バッテリ効率を相対的に増加させることができる。
【００２３】
また、本発明によると、歯科用物質が収容されたカプセルをディスペンサ装置から容易に着脱することができる。
【００２４】
さらに、本発明によると、カプセルを加熱する部分の構造が簡単になることによって短絡および破損の危険を減らすことができ、これによって安全性をさらに増加させることができる。
【図面の簡単な説明】
【００２５】
【図１】本発明の一実施形態に係る歯科用物質ディスペンサ装置の斜視図である。
【図２】本発明の一実施形態に係る歯科用物質ディスペンサ装置のヘッドに加熱ユニットが結合した形態を示した図である。
【図３】本発明の一実施形態に係る歯科用物質ディスペンサ装置のヘッドと加熱ユニット、およびカバー部の分解斜視図である。
【図４】本発明の一実施形態に係る歯科用物質ディスペンサ装置のヘッドと加熱ユニット、およびカバー部を横から眺めた側断面図である。
【図５】本発明の一実施形態に係る歯科用物質ディスペンサ装置にカプセルを結合した形態を示した図である。
【発明を実施するための形態】
【００２６】
図１は、本発明の一実施形態に係る歯科用物質ディスペンサ装置の斜視図である。
【００２７】
図１を参照すると、本発明の一実施形態に係る歯科用物質ディスペンサ装置１は、本体部１０、カプセル２０、ピストン３０、駆動部４０、および加熱ユニット５０を備えてもよい。
【００２８】
本体部１０は、全体的な形状を有するように形成されてもよく、本体部１０の先端部には、カプセル２０を着脱可能に結合できるようにヘッド１１が備えられてもよい。ヘッド１１の一面には、カプセル２０を結合するカプセル結合溝１２が凹むように陥没して形成されてもよい。
【００２９】
本体部１０の一側の下部には、施術者が手で把持することができる本体部ハンドル１３が備えられてもよい。本体部ハンドル１３の内部にはバッテリ（図示せず）が収容されてもよい。より詳細に、バッテリは、本体部ハンドル１３に分離可能に収容されてもよい。一例として、バッテリが放電した場合には、本体部ハンドル１３から容易に分離して充電して再使用してもよく、満充電の新しいバッテリと交換して使用してもよい。
【００３０】
したがって、歯科用物質ディスペンサ装置１は、電気を供給するための電線が連結していなくても、バッテリによって無線で電気を供給することができる。
【００３１】
バッテリは、後述する加熱ユニット５０に電源を供給する役割をしてもよい。
【００３２】
カプセル２０は、本体部１０と着脱可能に結合してもよく、内部に歯科用物質を収容してもよい。カプセル２０についての詳細な説明は、図５を参照しながら後述する。
【００３３】
ピストン３０は、カプセル２０を加圧し、歯科用物質をカプセル２０の外部に排出させる役割をしてもよい。より詳細に、ピストン３０の前端部は、本体部１０の全面部を貫通してヘッド１１に形成されたカプセル結合溝１２の方向に露出してもよく、ピストン３０の後端部は、本体部１０の上側から外部に一部分が露出してもよい。ピストン３０の前端部の直径は、後端部の直径に比べて小さく形成されてもよい。
【００３４】
また、本体部１０の上部には、ピストン３０を収容することができるピストン結合ホール１１０が形成されてもよい。
【００３５】
駆動部４０は、ピストン３０を駆動させる役割をしてもよい。駆動部４０は、使用者によって任意に作動する駆動部ハンドル４１と、駆動部ハンドル４１と一体に形成され、ピストン３０を加圧する加圧部４２を備えてもよい。
【００３６】
本体部１０の中央部には、駆動部４０を結合することができる駆動部結合ホール１４が形成されてもよい。駆動部結合ホール１４は、駆動部４０が所定の角度範囲内で回動してピストン３０を押すことができるように形成されてもよい。
【００３７】
より詳細に、使用者が駆動部ハンドル４１を本体部ハンドル１３の方向に引くと、加圧部４２は、駆動部ハンドル４１がピストン３０の後端を押してピストン３０が前方に直線移動するようにしてもよい。言い換えれば、駆動部ハンドル４１の移動方向と加圧部４２の移動方向は互いに反対となり、加圧部４２がピストン３０を押したときのみ、歯科用物質が排出されるようにしてもよい。したがって、ピストン３０が加圧部４２によって本体部１０の前方に直線移動することで、ヘッド１１と結合したカプセル２０の内部に収容された歯科用物質がカプセル２０の外部に排出されるようになる。ピストン３０および加圧部４２は、相互作用してカプセル２０内部のレジンなどの歯科用物質を排出させるため、排出ユニットと称してもよい。
【００３８】
図２は、本発明の一実施形態に係る歯科用物質ディスペンサ装置のヘッドに加熱ユニットが結合した形態を示した図であり、図３は、本発明の一実施形態に係る歯科用物質ディスペンサ装置のヘッドと加熱ユニット、およびカバー部の分解斜視図であり、図４は、本発明の一実施形態に係る歯科用物質ディスペンサ装置のヘッドと加熱ユニット、およびカバー部を横から眺めた側断面図である。
【００３９】
図２〜図４を参照すると、本発明の一実施形態に係る歯科用物質ディスペンサ装置１の加熱ユニット５０は、本体部１０のヘッド１１に備えられてもよい。
【００４０】
より詳細に、加熱ユニット５０は、ヘッド１１の下部と結合してもよい。加熱ユニット５０は、本体部１０に備えられてもよく、カプセル２０の一部分を加熱してカプセル２０を局所的に加熱してもよい。
【００４１】
加熱ユニット５０は、本体部１０に備えられたカプセル２０を加熱するための熱を発生させるフィルムヒータ５１と、フィルムヒータ５１から発生した熱をカプセル２０に伝達する熱伝達部５２を備えてもよい。
【００４２】
フィルムヒータ５１は、薄い板形状のフレキシブルな材質で形成されてもよい。従来の歯科用物質ディスペンサ装置の場合は、カプセル２０を加熱するためにヒーティングパイプを備えるのが通常であり、このようなヒーティングパイプの周囲をニクロム線で覆う形態で形成されるため、体積が大きくなるという問題点があった。しかし、フィルムヒータ５１をしなりの良い柔軟な材質の薄い板形状で形成することで、加熱ユニット５０を設置するための空間的な制約が少なくなり、本体部１０の構造が簡単になる。
【００４３】
また、歯科用物質ディスペンサ装置の場合には、カプセル２０を加熱するためにヒーティングブロックを使用することがあったが、このような場合には、ヒーティングブロックの重量および体積によって使用に不便が生じ、カプセル２０の均一な温度維持が容易ではなかったが、フィルムヒータ５１を利用することで、ヒーティングブロックを使用する場合に比べてカプセル２０の均一な温度維持が有利となり、利便性を増大させることができる。
【００４４】
フィルムヒータ５１は、曲面にしなった状態で本体部１０の下部と結合（図３を参照）してもよく、ポリイミド（ｐｏｌｙｉｍｉｄｅ）材質で形成されてもよい。ポリイミド（ＰＩ）は透明であり、強い鎖構造を有しており、優れた耐熱性と耐化学性、優れた機械的物性、電気的特性、および寸法安定性を備えた高分子材料である。
【００４５】
フィルムヒータ５１は、薄い板形状のポリイミドフィルムの間にエッチングされた発熱素材が入っている構造で形成されてもよく、このような発熱素材に電気が流れると熱が発生してもよい。フィルムヒータ５１の一側には、電線を結合する電極部５１０が備えられてもよい。フィルムヒータ５１は、電極部５１０を通じてバッテリと電線などによって電気的に連結してもよい。
【００４６】
電極部５１０は、フィルムヒータ５１内部の発熱素材と電気的に連結してもよく、電気の流れに優れた導体材質で形成されてもよい。また、電極部５１０は、図３に示すように円筒形状で形成されてもよいが、これに限定されることはない。
【００４７】
フィルムヒータ５１の外面を形成する薄い板を電気絶縁材質のポリイミド材質で形成することにより、フィルムヒータ５１内部の発熱素材に流れる電気が外部に漏洩しないように遮断されるようになる。したがって、本発明は、このようなフィルムヒータ５１の構造によって絶縁性に優れ、安全性を向上させることができる。
【００４８】
フィルムヒータ５１は、本体部ハンドル１３内に備えられたバッテリから電源の供給を受けて発熱してもよく、発生した熱を熱伝達部５２に供給してもよい。電極部５１０に供給される電流および電圧を制御してフィルムヒータ５１の発熱素材から発生する熱を制御してもよく、最終的には熱伝達部５２を通じてカプセル２０に伝達される熱を制御してもよい。フィルムヒータ５１内部に備えられる発熱素材の配列および量などを調節することにより、フィルムヒータ５１の電極部５１０に一般的に供給される電流および電圧の範囲でカプセル２０内部のレジンなどの歯科用物質が変性せず、効率的に溶融するようにフィルムヒータ５１の発熱量を制御してもよい。
【００４９】
熱伝達部５２は、カプセル２０とフィルムヒータ５１との間に備えらえてもよく、フィルムヒータ５１から発生した熱をカプセル２０に伝達してもよい。言い換えれば、フィルムヒータ５１は、熱伝達部５２と接触してもよく、熱伝達部５２で発生した熱を伝導方式によって伝達してもよい。
【００５０】
また、熱伝達部５２は、カプセル２０の一部分に接触してカプセル２０を局所的に加熱してもよい。より詳細に、熱伝達部５２は、カプセル２０の下端部を局所的に加熱してもよい。一例として、熱伝達部５２は、アルミニウム（Ａｌ）、銅（Ｃｕ）などの金属材質で形成されてもよいが、熱伝導率に優れた他の多様な種類の金属材質で形成されてもよく、これに限定されることはない。
【００５１】
本体部１０のヘッド１１には、カプセル２０を結合させるカプセル結合溝１２が凹むように陥没して形成されてもよく、カプセル結合溝１２には、熱伝達部５２を挿入する熱伝達部挿入ホール１２０が穿孔形成されてもよい。熱伝達部５２はカプセル２０の下部に備えられてもよく、フィルムヒータ５１は熱伝達部５２の下部に備えられてもよい。
【００５２】
一方、フィルムヒータ５１の外側にはカバー部６０が備えられてもよい。カバー部６０は、本体部１０と着脱可能に結合してもよく、フィルムヒータ５１をカバーする役割をしてもよい。また、カバー部６０は、歯科用物質を患者に注入するときに患者の唇と接触することがあるため、絶縁材質で形成されてもよい。
【００５３】
図５は、本発明の一実施形態に係る歯科用物質ディスペンサ装置にカプセルを結合した形態を示した図である。
【００５４】
図５を参照すると、本発明の一実施形態に係る歯科用物質ディスペンサ装置１の本体部１０には、カプセル２０が着脱可能に結合してもよい。
【００５５】
従来には、カプセルが着脱可能な形態ではなく本体部１０内に固定され、全体を加熱する構造で形成されていたため、カプセルの内部に収容された歯科用物質が熱によって変性する上に、粘性の高い歯科用物質を加熱するために電源供給量が多くなるためバッテリ効率が低いという問題があった。
【００５６】
しかし、本発明の一実施形態に係る歯科用物質ディスペンサ装置１のカプセル２０は、本体部１０から着脱できるように結合され、カプセル２０内部に収容された歯科用物質をすべて消耗し終わった場合には、カプセル２０全体を本体部１０から分離して新しいものと交換することができる。
【００５７】
より詳細に、カプセル２０は、本体部１０のヘッド１１部分に形成されたカプセル結合溝１２に着脱可能に結合されてもよい。カプセル２０の前端部は、所定の角度に傾いた形態で形成されてもよく、カプセル２０内部に収容された歯科用物質を排出する排出口（図示せず）が形成されてもよい。これとは反対に、カプセル２０の後端部は、ピストン３０の前端部と噛み合うように結合されてもよい。一例として、カプセル２０の内部に収容される歯科用物質は、レジンであってもよい。レジンは粘度が極めて高い物質であるため、カプセル２０の外部に圧出する場合には、極めて大きな力が求められるようになる。
【００５８】
カプセル２０の下部には、粘度の高いレジンを局所的に加熱させることができる加熱ユニット５０が備えられてもよく、熱によってレジンの粘度が減少すると、駆動部ハンドル４１を本体部ハンドル１３の方向に引き、加圧部４２によってピストン３０の後端部を押してもよい。このとき、カプセル２０の下部が局所的に加熱されるため、カプセル２０内部の圧力および温度を均一に増加することができる。
【００５９】
したがって、相対的に高いバッテリ効率を得ることができ、カプセル２０内部に収容された歯科用物質の変性を防ぐという長所がある。特に、カプセル２０は熱伝導性に優れたポリマ材質で形成され、加熱ユニット５０から伝わった熱をカプセル２０内部の歯科用物質に迅速に伝達することができる。
【００６０】
また、ピストン３０前端部は、加圧部４２によってヘッド１１の外側に露出し、カプセル２０内部に収容されたレジンを押し出してカプセル２０の外部に排出させてもよい。カプセル結合溝１２の一側には段差部１２１が形成されてもよい。段差部１２１は、カプセル２０をカプセル結合溝１２に結合してピストン３０によって歯科用物質を排出させるときに、ピストン３０が歯科用物質を押し出す力によってヘッド１１からカプセル２０が押し出されることを防ぐ役割をしてもよい。
【００６１】
以下では、本発明の一実施形態に係る歯科用物質ディスペンサ装置１の作用について説明する。
【００６２】
先ず、使用者は、本体部ハンドル１３を把持してもよく、本体部ハンドル１３内に備えられたバッテリ（図示せず）から加熱ユニット５０に電源が供給されてカプセル２０を加熱し始めると、駆動部ハンドル４１を本体部ハンドル１３の方向に徐々に引いてもよい。
【００６３】
使用者が駆動部ハンドル４１を引き始めると、駆動部ハンドル４１と一体に形成された加圧部４２が駆動部ハンドル４１とは反対の方向に移動しながらピストン３０を押してもよい。すなわち、駆動部４０の回動によってピストン３０が水平方向に移動してもよい。
【００６４】
本体部１０の先端部に形成されたヘッド１１には、カプセル２０が着脱可能に結合されてもよい。加熱ユニット５０で発生した熱が伝わってカプセル２０に伝達され、カプセル２０内部に収容されたレジンなどの歯科用物質が加熱され、駆動部４０の回動によって加圧部４２がピストン３０を押すと、ピストン３０の前端部はカプセル２０の後端部を加圧し、粘度が低下した歯科用物質をカプセル２０の外部に排出してもよい。これとは反対に、カプセル２０内部の歯科用物質がすべて無くなった状態になったり、患者に必要な量の歯科用物質が注入された状態になったりすると、駆動部ハンドル４１に加えた圧力を解除することで加圧部４２がピストン３０を押さなくなり、ピストン３０が再び本来の位置に戻ってもよい。
【００６５】
本発明によると、粘度の高い歯科用物質を加熱するために従来に使用していたヒーティングパイプとニクロム線の代わりに柔軟な材質のフィルムヒータを使って製作することにより、ヒータを装着する部分の形状、大きさ、構造に関係なく容易にヒータを装着することができる。
【００６６】
また、本発明によると、ヒーティングブロックを使用する従来の方式に比べ、温度維持および利便性の側面でより有利となる。
【００６７】
また、本発明によると、歯科用物質ディスペンサ装置の内部構造が簡単になるため、製作および加工が簡便となる。
【００６８】
また、本発明によると、レジンカプセルなどの歯科用物質を収容するカプセルの下端を局所加熱することにより、レジンなどの歯科用物質の圧力および温度を瞬間的に増加させるのではなく、時間の経過に伴って均一に増加させることができ、カプセル内部に収容されたレジンなどの歯科用物質の変性を防ぐことができる。
【００６９】
また、本発明によると、フィルムヒータを利用して歯科用物質が収容されたカプセルを局所加熱することにより、バッテリ効率を相対的に増加させることができる。
【００７０】
また、本発明によると、歯科用物質が収容されたカプセルをディスペンサ装置から容易に着脱することができる。
【００７１】
さらに、本発明によると、カプセルを加熱する部分の構造が簡単になることによって短絡および破損の危険を減らすことができ、これによって安全性をさらに増加させることができる。
【符号の説明】
【００７２】
１：歯科用物質ディスペンサ装置
１０：本体部
１１：ヘッド
１２：カプセル結合溝
１３：本体部ハンドル
１４：駆動部結合ホール
２０：カプセル
３０：ピストン
４０：駆動部
５０：加熱ユニット
５１：フィルムヒータ
５２：熱伝達部
６０：カバー部
１１０：ピストン結合ホール
１２０：熱伝達部挿入ホール
１２１：段差部
【図１】
2017038913.tif 000003
【図２】
2017038913.tif 000004
【図３】
2017038913.tif 000005
【図４】
2017038913.tif 000006
【図５】
2017038913.tif 000007